(57)【要約】【課題】排水溝の下流側で早期に水が途切れることなく、洗い場床表面上、特に排水凹部周りに残水が発生することを防止できる洗い場床を提供する。【解決手段】凹状に形成された排水凹部６と、排水凹部６の上端に向かって下り傾斜面となっている表面２とを備えた樹脂製の洗い場床であって、表面２に形成された排水溝１２の下流部は、排水溝１２下流側の水を排水凹部６の立ち面部３２の上端３２ａより下方に導くために、立ち面部３２の上端３２ａ以下の高さまで連続して形成された導水溝部２１ａ〜２１ｆと、排水溝１２下流側の水の流速を遅らせるために、立ち面部３２の上端３２ａまで連続させずに途中で途切れるように形成され、表面２上に下流端が位置する流速抑制部２２とを有する。【選択図】図３
2010037898.tif 000002
【特許請求の範囲】
【請求項１】
凹状に形成された排水凹部と、前記排水凹部の上端に向かって下り傾斜面となっている表面と、を備えた樹脂製の洗い場床であって、
前記排水凹部は、
貫通孔が形成された底面部と、
前記底面部の周縁から上方に立ち上がり形成された立ち面部と、を有し、
前記表面は、
滑り止め用の複数の凸部と、
前記凸部の間にそれぞれが連続するように複数形成され、一部の下流端のみが前記排水凹部の前記立ち面部の上端以下の高さまで延在形成されており、前記凸部の間に流れ込んだ水を前記立ち面部の上端まで途切れることなく排水することが可能な複数の排水溝と、を有し、
前記排水溝の下流部は、
前記排水溝下流側の水を前記排水凹部の前記立ち面部の上端より下方に導くために、前記立ち面部の上端以下の高さまで連続して形成された導水溝部と、
前記排水溝下流側の水の流速を遅らせるために、前記立ち面部の上端まで連続させずに途中で途切れるように形成され、前記表面上に下流端が位置する流速抑制部と、を有する
ことを特徴とする洗い場床。
【請求項２】
前記表面には、前記排水凹部に向かって水が排水されるように排水方向の異なる複数の勾配面が形成されており、
前記複数の勾配面は、それぞれの勾配面の稜線に向かって下り傾斜しており、
前記稜線の下流端部近傍に前記導水溝部が形成されていることを特徴とする請求項１記載の洗い場床。
【請求項３】
前記導水溝部と前記流速抑制部とは、それぞれの下流端より上流側で連続していることを特徴とする請求項１または２に記載の洗い場床。
【請求項４】
前記表面には、前記排水凹部に向かって水が排水されるように排水方向の異なる複数の勾配面が形成されており、
前記複数の勾配面は、それぞれの勾配面の稜線に向かって下り傾斜しており、
前記稜線の下流端部近傍のみに前記導水溝部が形成されていることを特徴とする請求項１記載の洗い場床。
【発明の詳細な説明】
【技術分野】
【０００１】
本発明は、浴室の洗い場床に関する。
【背景技術】
【０００２】
浴室の洗い場に用いられる床パネルとして、表面に複数の凸部を設け、これら凸部の間に流れ込んだ水を排水凹部まで途切れさせずに一時捕水できる状態にする排水溝（導水路）を排水凹部まで連続して形成することで、床パネル上に残水が発生しないようにしたものが開示されている（例えば、特許文献１）。これによって、翌日には洗い場の上に水滴が残らなくなる。
【０００３】
しかしながら、排水凹部の周囲には、意匠用の目的などから平面状に形成された縁部が形成されていることがあり、この場合、排水溝内で連続して繋がっていた水が上記縁部で途切れ、排水凹部周りに残水が生じてしまうことが懸念される。
【０００４】
そこで、特許文献２、３では、排水凹部周りの縁部にも溝を形成することで、排水凹部に向けて延在するすべての排水溝の下流端を排水凹部の立ち面まで連続するようにしている。
【特許文献１】特許第３５０８７６１号公報
【特許文献２】特許第４０６０６３８号公報
【特許文献３】特許第３５８５９１１号公報
【発明の開示】
【発明が解決しようとする課題】
【０００５】
しかし、特許文献２、３では、排水凹部に向けて延在するすべての排水溝についてその下流端を排水凹部の立ち面まで連続させて形成しているため、排水溝下流部の排水性が良すぎてしまい、その部分で早期に水が途切れ、排水溝に流れ込んだ水を排水凹部まで途切れさせずに一時捕水させた状態にすることが困難となり、排水凹部周りに残水が生じるおそれがある。
【０００６】
本発明は上述の問題に鑑みてなされ、排水溝の下流側で早期に水が途切れることなく、洗い場床表面上、特に排水凹部周りに残水が発生することを防止できる洗い場床を提供することを目的とする。
【課題を解決するための手段】
【０００７】
本発明の一態様によれば、凹状に形成された排水凹部と、前記排水凹部の上端に向かって下り傾斜面となっている表面と、を備えた樹脂製の洗い場床であって、前記排水凹部は、貫通孔が形成された底面部と、前記底面部の周縁から上方に立ち上がり形成された立ち面部と、を有し、前記表面は、滑り止め用の複数の凸部と、前記凸部の間にそれぞれが連続するように複数形成され、一部の下流端のみが前記排水凹部の前記立ち面部の上端以下の高さまで延在形成されており、前記凸部の間に流れ込んだ水を前記立ち面部の上端まで途切れることなく排水することが可能な複数の排水溝と、を有し、前記排水溝の下流部は、前記排水溝下流側の水を前記排水凹部の前記立ち面部の上端より下方に導くために、前記立ち面部の上端以下の高さまで連続して形成された導水溝部と、前記排水溝下流側の水の流速を遅らせるために、前記立ち面部の上端まで連続させずに途中で途切れるように形成され、前記表面上に下流端が位置する流速抑制部と、を有することを特徴とする洗い場床が提供される。
【発明の効果】
【０００８】
本発明によれば、排水溝の下流側で早期に水が途切れることなく、洗い場床表面上、特に排水凹部周りに残水が発生することを防止できる洗い場床が提供される。
【発明を実施するための最良の形態】
【０００９】
以下、図面を参照し、本発明の実施形態について説明する。  
図１は、本発明の実施形態に係る浴室の洗い場床１の平面図を示す。
【００１０】
洗い場床１は、浴室外に湯水を漏出させない防水性、および浴室壁パネル、天井パネル、風呂椅子、洗面器などの静荷重や、使用者の動荷重を受けても撓んだり破損しない十分な強度を有し、例えば、ＦＲＰ（Fiber Reinforced Plastic）等の熱硬化性樹脂から形成されている。あるいは、洗い場床１は、ポリプロピレン、ポリエチレン等の熱可塑性樹脂に補強を施したものから形成されていてもよい。
【００１１】
洗い場床１は、全体としては浅底のパン形状に形成されている。洗い場床１は、凹状に形成された排水凹部６と、排水凹部６の上端に向かって下り傾斜面となっている表面２と、最外縁部で上方に立ち上がり形成された水返し壁部９とを備える。
【００１２】
洗い場床１には排水凹部６が最も低くなるように排水勾配がつけられ、表面２上の水（湯も含む）は排水勾配に沿って流れ、排水凹部６に集水される。具体的には、表面２には、それぞれ排水方向の異なる複数の勾配面（例えば３つの勾配面３、４、５）が形成されている。各勾配面３、４、５は、排水凹部６に向かって下り傾斜になっている。さらに、勾配面３及び勾配面４は、これらの間に谷として形成された稜線７に向かっても下り傾斜となっている。同様に、勾配面３及び勾配面５は、これらの間に谷として形成された稜線８に向かって下り傾斜となっている。
【００１３】
したがって、各勾配面３〜５上の水は、図１において点線矢印で示すように、排水凹部６及び稜線７、８に向かって流れる。稜線７、８自体も排水凹部６に向かって下り傾斜となっており、稜線７、８に流れ込んだ水は稜線７、８に沿って排水凹部６へと流れる。
【００１４】
表面２には、図２に示すように、複数の凸部１１と複数の排水溝１２とが形成されている。なお、図２には表面２の一部分のみを示すが、凸部１１及び排水溝１２は洗い場床１の表面２全体にわたって形成されている。
【００１５】
凸部１１は滑り止めの機能を担い、例えば図２に示す例では凸部１１の表面を波形に形成することで、さらに滑り止め効果を高めている。
【００１６】
排水溝１２は、凸部１１の周囲を囲むように例えば格子状に複数形成され、それぞれの排水溝１２は途切れることなく連続している。これら排水溝１２を介して、凸部１１の間に流れ込んだ水を排水凹部６まで途切れることなくゆっくりと排水することが可能となっている。
【００１７】
排水溝１２の平面レイアウトは格子状に限らず、凸部１１の間に流れ込んだ水を排水凹部６まで途切れることなくゆっくりと排水することが可能なレイアウトであればよい。
【００１８】
次に、図３は洗い場床１における排水凹部６及びその周辺部分の拡大斜視図であり、図４は同部分の拡大平面図を示す。
【００１９】
排水凹部６は、図示しない排水トラップへとつながる貫通孔が形成された底面部３１と、底面部３１の周縁から上方に立ち上がり、筒状の側壁として形成された立ち面部３２とを有する。
【００２０】
排水凹部６に向かって形成された複数の排水溝１２のうち、一部の下流端のみが排水凹部６の立ち面部３２の上端３２ａ以下の高さまで延在形成されている。すなわち、排水溝１２の下流部は、排水溝１２下流側の水を立ち面部３２の上端３２ａより下方に導くために、立ち面部３２の上端３２ａ以下の高さまで連続して形成された導水溝部２１ａ〜２１ｆと、排水溝１２下流側の水の流速を遅らせるために、立ち面部３２の上端３２ａまで連続させずに途中で途切れるように形成され、排水凹部６周辺の表面２上に下流端が位置する流速抑制部２２とを有する。
【００２１】
各導水溝部２１ａ〜２１ｆは、凸部１１間に位置する排水溝１２のいずれかと連続し、各導水溝部２１ａ〜２１ｆの下流端は、排水凹部６の立ち面部３２の上端３２ａよりも下方にまで延びて形成されている。
【００２２】
本実施形態では、例えば６箇所に導水溝部２１ａ〜２１ｆを形成している。導水溝部２１ａ、２１ｂは、前述した勾配面３〜５の稜線７、８の下流端部近傍に形成されている。導水溝部２１ｄ、２１ｅは、勾配面３の下流端部近傍であって上記導水溝部２１ａと導水溝部２１ｂとの間に形成されている。導水溝２１ｃは勾配面５の下流端部近傍に形成され、導水溝２１ｆは勾配面４の下流端部近傍に形成されている。
【００２３】
排水凹部６の上部開口端周辺には平面状の縁部３３が形成されている。この縁部３３の表面は、凸部１１間に位置する排水溝１２の底と同じ高さであり、その縁部３３に各導水溝部２１ａ〜２１ｆがスリット状に形成されている。したがって、縁部３３に形成された導水溝部２１ａ〜２１ｆの底は、凸部１１間の排水溝１２の底よりも低い位置にある。
【００２４】
排水溝１２の下流側において、その下流端が上記縁部３３にまで連続形成されず、縁部３３の手前で途切れているものが流速抑制部２２として機能する。
【００２５】
排水溝１２の下流部は、図４に示すように、縁部３３より上流側で例えば格子パターン状につながっており、この部分を通じて導水溝部２１ａ〜２１ｆと流速抑制部２２とがつながっている。
【００２６】
洗い場床表面２上の水は、凸部１１の間の排水溝１２に流れ込み、排水溝１２内で連続した一時捕水状態とされ、その状態を維持しつつ、前述した排水勾配により下流側に流れ、導水溝部２１ａ〜２１ｆを通じて、排水凹部６の立ち面部３２の上端３２ａより下方まで導かれる。また、排水凹部６の立ち面部３２の上端３２ａよりも上流側で排水溝１２を途切れさせた流速抑制部２２により、その部分での排水速度（排水性）が抑えられ、排水溝１２下流側で溝１２内を流れる水が早期に途切れてしまうことを抑制できる。
この結果、排水溝１２内で連続した水の一時捕水状態を長時間にわたって保持することができ、排水溝１２内の水を導水溝部２１ａ〜２１ｆを通じて排水凹部６まで途切れることなくゆっくりと少しずつ流下させることができる。
ここで、排水溝１２の下流側での排水の流速が上流側よりも速いと、下流側での溝内排水が早期になくなり、排水凹部６まで通じる連続流水網が途中で途切れ、洗い場床１上に、翌日までに自然乾燥させることが困難な量の残水を生じさせてしまうおそれがある。
したがって、排水溝１２の下流側での排水の流速が上流側と同程度もしくは遅ければ、連続流水網が排水凹部６の立ち面部３２まで途切れない。すなわち、排水溝１２の下流側こそ、よりゆっくり排水できるようにすることが重要である。
そこで、本発明の実施形態では、下流側での排水流速を抑制するために、排水凹部６に向けて延びるすべての排水溝１２についてその下流端を排水凹部６の立ち面部３２まで連続させるのではなく、一部のみを導水溝部２１ａ〜２１ｆを通じて排水凹部６の立ち面部３２まで連続させるにとどめている。
【００２７】
したがって、本実施形態では、排水凹部６まで途切れずにつながる導水溝部２１ａ〜２１ｆを必要最小限にとどめることで、下流側における必要以上の排水性の向上を抑制して、洗い場床表面２上から排水凹部６へと排水が連続してつながる一時捕水状態が確実に維持されるようにし、洗い場床表面２上や排水凹部６の周辺に取り残されてしまう残水の発生を抑制できる。
【００２８】
洗い場床表面２上の水は前述した勾配面３〜５の稜線７、８に集まりやすく、大部分の水は稜線７、８またはその近傍を流れて排水凹部６に至る。したがって、図３、４には、稜線７、８の下流端部以外の４箇所にも導水溝部２１ｃ〜２１ｆを形成した例を示したが、稜線７、８の下流端部だけに導水溝部２１ａ、２１ｂを形成してその部分でのみ排水溝１２を排水凹部６の立ち面部３２と連続させるだけでも、排水凹部６周辺の水溜まり防止には十分である。
【００２９】
図４を参照して前述したように、各導水溝部２１ａ〜２１ｆと流速抑制部２２とは、それぞれの下流端より上流側の排水溝１２を通じて連続している。したがって、導水溝部２１ａ〜２１ｆの近くに形成された流速抑制部２２内の水は導水溝部２１ａ〜２１ｆに流れ込むことができる。これにより、流速抑制部２２に残る水を極少量にすることができ、この残水が少量であれば自然乾燥で翌日までには十分乾く。
【００３０】
前述した洗い場床１は、ＳＭＣ（Sheet Molding Compounds：不飽和ポリエステル樹脂、ガラス繊維、フィラー等を混ぜ合わせたシート状の成形材）を熱間成型することにより一体成形される。このとき、表面意匠用の凹凸模様を転写形成するために例えばＤＡＰ（ジアリルフタレート）樹脂シートを金型とＳＭＣとの間にインサートして成形する場合に、本実施形態では、排水凹部６の周辺に平面状の縁部３３を形成する構造としていることから、ＤＡＰ樹脂シートを平面状の縁部３３に隙間なく密着させることができ、ＳＭＣが縁部３３より内側の表面２側に流動して流れ込むのを防ぐことができる。
【００３１】
一方、特許文献２、３では、すべての排水溝を排水凹部の開口縁部にまで延在形成しているため、排水凹部の開口縁部に多数の凹凸が形成されている。このため、その縁部にＤＡＰ樹脂シートを重ねてもその縁部とＤＡＰ樹脂シートとの間に隙間が多数生じ、これら隙間から、縁部より内側の洗い場床表面側へとＳＭＣが流れ込み、ＤＡＰ樹脂シートによる模様の転写形成に不良が生じてしまうことが懸念される。
【００３２】
本実施形態では、前述したように、複数の排水溝１２のすべてを縁部３３まで延在形成させるのではなく、一部だけを導水溝部２１ａ〜２１ｆとして縁部３３に形成しているため、縁部３３は大部分が平面であり、ＤＡＰ樹脂シートと縁部３３とを重ねた際のこれら両者間の隙間を極力少なくでき、表面２側へのＳＭＣの流れ込みを抑制することができる。
【００３３】
また、本実施形態では、縁部３３の表面には、梨地（微細な凹凸）模様が形成され、このことによっても多少は縁部３３表面が親水化傾向となるため排水性の向上に貢献する。
【００３４】
例えば、凸部１１間に位置する排水溝１２の溝幅ｔは０．５＜ｔ＜２．０ｍｍ、深さは０．５ｍｍ以上であり、各導水溝部２１ａ〜２１ｆの溝幅ｔは０．５＜ｔ＜２．０ｍｍ、深さは０．５ｍｍ以上である。
【００３５】
前述したＳＭＣを金型を用いて成形することにより上記洗い場床１を製造する場合には、排水溝１２や導水溝部２１ａ〜２１ｆの溝幅ｔが０．５ｍｍ以下であるとその溝を転写形成するための金型の凸部が細くなるため強度不足が懸念される。また、溝幅ｔが２ｍｍ以上であると水の流下抵抗（表面張力）よりも重力が大きくなり、溝内に捕水できなくなることが懸念される。したがって、排水溝１２や導水溝部２１ａ〜２１ｆの溝幅ｔとしては、０．５ｍｍ＜ｔ＜２．０ｍｍの範囲内にするのが望ましい。
【００３６】
次に、図５は、導水溝部２１の模式拡大断面図を示す。図５においては、前述した各導水溝部２１ａ〜２１ｆを符号２１で代表して表す。
【００３７】
導水溝部２１は、上流側傾斜部４１と中間部４２と下流側傾斜部４３とを有する。上流側傾斜部４１は凸部１１間の排水溝１２につながり、下流側傾斜部４３の下流端は排水凹部６の立ち面部３２の上端より下方に位置する。中間部４２は、上流側傾斜部４１と下流側傾斜部４３との間に形成されている。
【００３８】
上流側傾斜部４１は、凸部１１間の排水溝１２の底部１２ａよりも低い位置に形成され、洗い場床表面２（排水溝１２）の勾配（例えば１／５０）よりも急傾斜に形成されている。中間部４２は、洗い場床表面２（排水溝１２）の勾配（例えば１／５０）と同程度の緩傾斜に形成されている。下流側傾斜部４３は、排水凹部６の立ち面部３２の上端から下方に延在する急傾斜に形成されている。
【００３９】
このように導水溝部２１全体を上流側から下流側にかけて急傾斜にするのではなく、途中に、洗い場床表面２の勾配（例えば１／５０）と同程度の緩傾斜の中間部４２があることで、その部分での排水速度を抑制し、導水溝部２１における水の途切れを抑制できる。すなわち、導水溝部２１及びこれにつながる排水溝１２内で、確実に水を連続した状態で一時捕水できる。
【００４０】
前述した実施形態に係る洗い場床は、排水凹部６及び表面２が同材料で一体形成された構造としたが、これに限らず、それらを別体で形成し組み合わせてもよい。
【００４１】
図６は、本発明の他の実施形態に係る洗い場床における排水凹部及びその周辺部分の拡大斜視図である。
【００４２】
本実施形態では、排水凹部６を一体に形成した例えばＦＲＰからなる基材５７に対して、表面材５０を貼り合わせている。例えば、表面材５０として基材５７よりもやわらかい材料を用いることで、表面がやわらかい洗い場床を実現できる。
【００４３】
表面材５０における排水凹部６側の縁部と、基材５７表面との間の隙間にはコーキング材５５が充填され、上記隙間から表面材５０と基材５７表面との間に水が浸入することを防いでいる。
【００４４】
表面材５０の表面には、複数の凸部５１と複数の排水溝５２とが形成されている。凸部５１は滑り止めの機能を担う。排水溝５２は、凸部５１の周囲を囲むように複数形成され、それぞれの排水溝５２は途切れることなく連続している。これら排水溝５２を介して、凸部５１の間に流れ込んだ水を排水凹部６まで途切れることなくゆっくりと排水することが可能となっている。
【００４５】
本実施形態においても、排水凹部６に向かって形成された複数の排水溝５２のうち、一部の下流端のみが排水凹部６の立ち面部の上端以下の高さまで延在形成されている。なお、本実施形態における排水凹部６の立ち面部の上端とは、基材５７の表面と、表面材５０の縁部との隙間に充填されたコーキング材５５の上端５５ａを示す。
【００４６】
排水溝５２の下流部は、排水溝５２下流側の水を立ち面部の上端５５ａより下方に導くために、その上端５５ａ以下の高さまで連続して形成された導水溝部６２と、排水溝５２下流側の水の流速を遅らせるために、上記上端５５ａまで連続させずに途中で途切れるよに形成され、表面材５０上に下流端が位置する流速抑制部６３とを有する。
【００４７】
本実施形態においても、少なくとも勾配面の稜線の下流端部近傍に導水溝部６２を形成している。また、導水溝部６２と流速抑制部６３とは、それぞれの下流端より上流側の排水溝５２を通じて連続している。
【００４８】
本実施形態においても、排水凹部６まで途切れずにつながる導水溝部６２を必要最小限にとどめることで、下流側における必要以上の排水性の向上を抑制して、表面材５０の表面上から排水凹部６へと排水が連続してつながる一時捕水状態が確実に維持されるようにし、表面材５０の表面や排水凹部６の周辺に取り残されてしまう残水の発生を抑制できる。
【００４９】
なお、本実施形態において、導水溝部６２は、コーキング材５５よりも下方の基材５７の立ち面部５７ａにまで延在形成されていてもよい。
【００５０】
また、前述した各実施形態において、排水溝内の水に接触することなく、凸部上に留まれる水の水量は２ｃｃ以下、好ましくは０．２ｃｃ以下である。
【図面の簡単な説明】
【００５１】
【図１】本発明の実施形態に係る洗い場床の平面図。
【図２】同洗い場床表面における一部分の拡大斜視図。
【図３】同洗い場床における排水凹部及びその周辺部分の拡大斜視図。
【図４】同洗い場床における排水凹部及びその周辺部分の拡大平面図。
【図５】同洗い場床における導水溝部の拡大断面図。
【図６】本発明の他の実施形態に係る洗い場床における排水凹部及びその周辺部分の拡大斜視図。
【符号の説明】
【００５２】
１…洗い場床、２…表面、３〜５…勾配面、７，８…稜線、６…排水凹部、１１…凸部、１２…排水溝、２１ａ〜２１ｆ…導水溝部、２２…流速抑制部、３２…立ち面部
【図１】
2010037898.tif 000003
【図２】
2010037898.tif 000004
【図３】
2010037898.tif 000005
【図４】
2010037898.tif 000006
【図５】
2010037898.tif 000007
【図６】
2010037898.tif 000008